(57)【特許請求の範囲】
【請求項１】
左右方向に延びる複数の横板と、該複数の横板に組み付けられ、上下方向に延びる複数の縦板とにより、複数の収納空間が区画された収納家具であって、
前記複数の縦板は、前記各横板の前後方向の奥行き寸法よりも小さい奥行き寸法を有する複数の第１縦板と、前記各横板の奥行き寸法と略同じ奥行き寸法を有する複数の第２縦板とを備え、
前記複数の第１縦板が前記横板の前端に対してセットバックして配設され、該複数の第１縦板の前方における前記横板上には、ペットが左右方向に移動可能なペット通路が設けられ、
前記ペット通路の幅寸法は１５０ｍｍ以上であり、
前記複数の第１縦板が前記横板の後端に対してセットバックして配設されており、
前記収納空間を区画する上下横板の少なくとも１つには、前記ペットが上下方向に通り抜け可能な上下開口が設けられ、
前記複数の第２縦板のうち少なくとも１つには、前記ペットが左右方向に通り抜け可能な左右開口が設けられ、
前記ペット通路と、前記上下開口及び左右開口の少なくとも１つとが連続して、前記ペットが移動可能な一続きの移動経路が設けられ、
前記上下横板と複数の第２縦板とにより区画され、前記上下開口及び左右開口の少なくとも１つが設けられた収納空間の少なくとも１つは、該収納空間の前側開口を開閉自在に覆い、該収納空間の内部を隠蔽する扉部材が設けられ、且つ前記ペットが移動可能な一続きの移動経路の一部を構成していることを特徴とする収納家具。
【請求項２】
請求項１において、
前記上下開口は、その内周面が下側に向かって次第に減少するテーパー状の孔又は切り欠きに設けられていることを特徴とする収納家具。
【請求項３】
請求項２において、
前記上下開口の少なくとも１つには、外周面が下側に向かって次第に減少するテーパー状に形成され、該上下開口に上側から密嵌合して該上下開口を面一上に閉じる蓋部材が取り外し可能に設けられていることを特徴とする収納家具。
【請求項４】
請求項１〜３のいずれか１項において、
前記収納空間の数が上段に行くに従って少なくなっていて、正面視で階段状に設けられていることを特徴とする収納家具。
【発明の詳細な説明】
【技術分野】
【０００１】
本発明は、収納家具に関する。
【背景技術】
【０００２】
近年、ペットを飼育している住居向けに、収納と、この収納の内部又は外部をペットが移動可能なペット遊具とを兼ね備えた収納家具が種々検討されている。
【０００３】
例えば特許文献１には、対向して配置される一対の側板および縦方向に間隔をあけて前記一対の側板間に設けられる複数枚の踏板を有し、縦方向に延びるペット移動経路が内側に設けられた棚と、前記棚の天板上に一端部が取付けられ、横方向に延びるペット移動経路が内側に設けられた上置と、を備えた、ペットの遊具を備える家具が開示されている。
【先行技術文献】
【特許文献】
【０００４】
【特許文献１】特許第６３２５１５７号公報
【発明の概要】
【発明が解決しようとする課題】
【０００５】
しかし、特許文献１の家具では、ペット移動経路が内側に設けられた棚及び上置は、ペットの遊具としてのみ使用され、収納として使用できないため、収納空間を十分に確保できないという不都合がある。
【０００６】
本発明は、かかる点に鑑みてなされたものであり、その目的とするところは、ペットが移動可能なペット通路を設けると共に、収納空間を十分に確保することにある。
【課題を解決するための手段】
【０００７】
上記の目的を達成するために、本発明では、収納空間を区画する縦板の構造に着目し、縦板の前方及び後方の少なくとも一方にペット通路を設けることとした。
【０００８】
具体的には、第１の発明は、左右方向に延びる複数の横板と、該複数の横板に組み付けられ、上下方向に延びる複数の縦板とにより、複数の収納空間が区画された収納家具に係る。前記複数の縦板は、前記各横板の前後方向の奥行き寸法よりも小さい奥行き寸法を有する複数の第１縦板と、前記各横板の奥行き寸法と略同じ奥行き寸法を有する複数の第２縦板とを備える。そして、前記複数の第１縦板が前記横板の前端に対してセットバックして配設され、該複数の第１縦板の前方における前記横板上には、ペットが左右方向に移動可能なペット通路が設けられ、前記ペット通路の幅寸法は１５０ｍｍ以上であり、前記複数の第１縦板が前記横板の後端に対してセットバックして配設されており、前記収納空間を区画する上下横板の少なくとも１つには、前記ペットが上下方向に通り抜け可能な上下開口が設けられ、前記複数の第２縦板のうち少なくとも１つには、前記ペットが左右方向に通り抜け可能な左右開口が設けられ、前記ペット通路と、前記上下開口及び左右開口の少なくとも１つとが連続して、前記ペットが移動可能な一続きの移動経路が設けられ、前記上下横板と複数の第２縦板とにより区画され、前記上下開口及び左右開口の少なくとも１つが設けられた収納空間の少なくとも１つは、該収納空間の前側開口を開閉自在に覆い、該収納空間の内部を隠蔽する扉部材が設けられ、且つ前記ペットが移動可能な一続きの移動経路の一部を構成していることを特徴とする。
【０００９】
第１の発明では、複数の収納空間を区画する複数の縦板として、前後方向において、各横板の奥行き寸法よりも小さい奥行き寸法を有する複数の第１縦板を備える。複数の第１縦板は横板の前端に対してセットバックして配設されており、この第１縦板の前方における横板上には、ペットが左右方向に移動可能なペット通路が設けられている。このペット通路の幅寸法は１５０ｍｍ以上であるため、ペットがペット通路を自由に、容易に移動できる。これにより、収納家具は、第１縦板の前方、及びこの第１縦板で区画された隣接する収納空間の前方をペット遊具として使用できる。一方、ペット通路が設けられた収納空間におけるペット通路以外の空間を収納として使用できる。このように、ペット通路が設けられた収納空間は、ペット遊具としてのみ使用されるのではなく、収納としても使用できる。したがって、この収納家具は、ペットが移動可能なペット通路を設けることができると共に、収納空間を十分に確保できる。さらに、複数の第１縦板は横板の後端に対してもセットバックして配設されている。これにより、第１縦板の後端と室内壁との間に隙間が生じるため、この隙間に例えば配線等を通すことができる。
【００１０】
また、第１の発明では、複数の収納空間を区画する上下横板の少なくとも１つには、ペットが上下方向に通り抜け可能な上下開口が設けられているため、この上下開口を介して、ペットが上下横板で区画された収納空間に出入りできる。
【００１１】
また、第１の発明では、複数の収納空間を区画する複数の縦板として、前後方向において、各横板の奥行き寸法と略同じ奥行き寸法を有する複数の第２縦板をさらに備える。この第２縦板のうち少なくとも１つには、ペットが左右方向に通り抜け可能な左右開口が設けられている。これにより、第２縦板の前方及び後方の少なくとも一方における横板上にペット通路が設けられていなくても、左右開口を介して、ペットが第２縦板で区画された収納空間に出入りできる。
【００１２】
また、第１の発明では、ペット通路と上下開口及び左右開口の少なくとも１つとが連続してペットが移動可能な一続きの移動経路が設けられている。これにより、ペットの移動距離が長くなるため、ペットの飼い主は、ペットの動作を観賞できる。
【００１３】
また、第１の発明では、上下横板と複数の第２縦板とにより区画され、上下開口及び左右開口の少なくとも１つが設けられた収納空間の少なくとも１つは、この収納空間の前側開口を開閉自在に覆うと共に、その内部を隠蔽する扉部材が設けられているため、収納空間の内部を隠蔽できる。また、収納家具の意匠性を向上できる。さらに、この収納空間、ペットが移動可能な一続きの移動経路の一部を構成しているため、該収納空間をペットの寝床として使用できる。
【００１４】
第２の発明は、第１の発明において、前記上下開口は、その内周面が下側に向かって次第に減少するテーパー状の孔又は切り欠きに設けられていることを特徴とする。
【００１５】
第２の発明では、上下開口の形状が具体化される。
【００１６】
第３の発明は、第２の発明において、前記上下開口の少なくとも１つには、外周面が下側に向かって次第に減少するテーパー状に形成され、該上下開口に上側から密嵌合して該上下開口を面一上に閉じる蓋部材が取り外し可能に設けられていることを特徴とする。
【００１７】
第３の発明では、上下開口に上側から密嵌合して上下開口を面一上に閉じる蓋部材が取り外し可能に設けられているため、収納家具の施工後に、ペットが移動可能な移動経路や、ペットの出入りを禁止する収納空間の配置等を簡単に変更できる。
【００１８】
第４の発明は、第１〜第３の発明のいずれか１つにおいて、前記収納空間の数が上段に行くに従って少なくなっていて、正面視で階段状に設けられていることを特徴とする。
【００１９】
第４の発明では、複数の収納空間の数が上段に行くに従って少なくなっていて、正面視で階段状に設けられているため、ペットは、階段状に連続する横板にペットが飛び乗ったり、飛び降りたりすることができる。これにより、ペットの飼い主は、ペットの動作をより一層観賞できる。また、階段状に連続する横板は、段違いに上下に並んだ段違い棚（収納）としても使用できる。
【発明の効果】
【００２０】
以上に説明したように、本発明によれば、ペットが移動可能なペット通路を設けると共に、収納空間を十分に確保できる。
【図面の簡単な説明】
【００２１】
【図１】図１は、本発明の実施形態１に係る収納家具の概略構成を示す正面図である。
【図２】図２は、図１の右側面図である。
【図３】図３は、本発明の実施形態２に係る収納家具の概略構成を示す正面図である。
【図４】図４は、横板の平面図である。
【図５】図５は、図４の第１の変形例を示す平面図である。
【図６】図６は、図４の第２の変形例を示す平面図である。
【図７】図７は、上下開口とこの上下開口を閉じる蓋部材とを示す断面図である。
【図８】図８は、本発明の実施形態３に係る収納家具の概略構成を示す正面図である。
【図９】図９は、図８の右側面図である。
【発明を実施するための形態】
【００２２】
以下、本発明を実施するための形態を図面に基づいて説明する。以下の好ましい実施形態の説明は、本質的に例示に過ぎず、本発明、その適用物或いはその用途を制限することを意図するものではない。
【００２３】
＜実施形態１＞
図１及び図２は、本発明の実施形態１に係る収納家具Ａ１の概略構成を示す。図１及び図２において、Ｆは例えば住宅におけるリビングルーム等の室内の床（面）であり、Ｗは室内の壁（面）である。収納家具Ａ１は、壁Ｗの前側の床Ｆ上に設置されている。
【００２４】
なお、本明細書では、収納家具Ａ１を正面から見て、上側を「上」、下側を「下」、左側を「左」、右側を「右」、手前側を「前」、奥側を「後」、及び前後方向の長さを「奥行き寸法」として説明する。
【００２５】
図１に示すように、収納家具Ａ１は、床Ｆと平行に左右方向（水平方向）に延びる５段で構成される棚板（複数の横板）１，２，…，５と、この棚板１，２，…，５と垂直に上下方向（鉛直方向）に延びる複数の縦板として複数の第１方立（第１縦板）１０，１０，…を備える。そして、収納家具Ａ１は、これら棚板１，２，…，５と複数の第１方立１０，１０，…とが格子状に組み付けられて一体化し、複数の収納空間Ｓ１，Ｓ１，…，Ｓ7（以下、単に「収納空間Ｓ，Ｓ，…」ともいう）が区画されている。
【００２６】
より具体的には、３段目の棚板３上には、その左右中間に、例えば薄型テレビ（図示せず）を載置するためのテレビ収納空間Ｓ８が区画されている。このテレビ収納空間Ｓ８は、上方が開口されたテレビ台（棚）である。
【００２７】
棚板３上には、テレビ収納空間Ｓ８の左右両側に互いに隣接する３つの第１方立１０，１０，…がそれぞれ配設されている。これら各３つの第１方立１０，１０，…の間には、テレビ収納空間Ｓ８で分断された４段目の棚板４が架け渡されている。これにより、棚板３と棚板４との間には、テレビ収納空間Ｓ８の左右両側に収納空間Ｓ５，Ｓ６がそれぞれ区画されている。
【００２８】
各棚板４上には、テレビ収納空間Ｓ８の左右両側に隣接する２つの第１方立１０，１０が配設されている。これら各２つの第１方立１０，１０の間には、テレビ収納空間Ｓ８で分断された５段目の棚板５が掛け渡されている。これにより、各棚板４と各棚板５との間には、収納空間Ｓ７が区画されている。
【００２９】
棚板３の下側、具体的には１段目の棚板１と棚板３との間には、その左右両側に２つの収納空間Ｓ１，Ｓ１がそれぞれ区画されている。そして、棚板１上には、収納空間Ｓ１，Ｓ１を区画する第１方立１０，１０と共に、棚板１の左右中央に第１方立１０が配設されている。これら３つの第１方立１０，１０，…の間には、２つの収納空間Ｓ１，Ｓ１で分断された２段目の棚板２が架け渡されている。これにより、棚板１と棚板２との間には、２つの収納空間Ｓ２，Ｓ２とが区画されている。
【００３０】
棚板２上には、収納空間Ｓ１，Ｓ１を区画する第１方立１０，１０と共に、これら第１方立１０，１０よりも左右中央寄りに２つの第１方立１０，１０が配設されている。これにより、棚板２と棚板３との間には、棚板２の左右両側に２つの収納空間Ｓ３，Ｓ３が区画され、これら２つの収納空間Ｓ３，Ｓ３の間に収納空間Ｓ４が区画されている。
【００３１】
以上説明したように、収納家具Ａ１は、棚板１，２，…，５と、複数の第１方立１０，１０，…とにより、テレビ収納空間Ｓ８以外に、複数段且つ複数列に、任意の大きさに設けられた１３個の収納空間Ｓ１，Ｓ１，…，Ｓ7が区画されている。
【００３２】
各棚板１，２，…，５の長さ寸法（図１では左右方向の寸法）は、特に限定されず、収納家具Ａ１の形状（外形）、各収納空間Ｓ１，Ｓ１，…，Ｓ7の大きさ等に応じて適宜決定すればよい。各棚板１，２，…，５の奥行き（幅）寸法は、特に限定されないが、例えば３００〜５００ｍｍ程度である。
【００３３】
第１方立１０は、収納家具Ａ１では、すべての縦板に使用されている。この第１方立１０は、各棚板１，２，…，５の奥行き寸法よりも小さい奥行き寸法を有する。第１方立１０の奥行き寸法は、例えば１００〜３００ｍｍ程度である。第１方立１０の長さ寸法（図１及び図２では上下方向の寸法）は、特に限定されず、収納家具Ａ１の形状、各収納空間Ｓ１，Ｓ１，…，Ｓ7の大きさ等に応じて適宜決定すればよい。
【００３４】
図２に示すように、第１方立１０の前方における各棚板１，２，…，５上には、ペットが左右方向に移動可能なペット通路１３，１３，…がそれぞれ設けられている。なお、ペットは、例えば猫等が挙げられる。
【００３５】
より具体的には、前記したように、第１方立１０の奥行き寸法は、各棚板１，２，…，５の奥行き寸法よりも小さい。収納家具Ａ１では、第１方立１０の奥行き寸法と各棚板１，２，…，５の奥行き寸法との寸法差を利用して、図２に示すように、第１方立１０が、各棚板１，２，…，５の前端に対してセットバックして（各棚板１，２，…，５の前端から後退させて）配設されている。これにより、第１方立１０の前方、及びこの第１方立１０で区画された互いに隣接する収納空間（図１では、Ｓ１−Ｓ２間、Ｓ１−Ｓ３間、Ｓ２−Ｓ２間、Ｓ３−Ｓ４間、Ｓ５−Ｓ６間、Ｓ６−Ｓ８間、Ｓ７−Ｓ８間）の前方における各棚板１，２，…，４上の空間（各棚板１，２，…，４の前側部分）は、ペット通路１３，１３，…として使用できる。
【００３６】
なお、ペット通路１３の幅寸法（各棚板１，２，…，４の前端と、各第１方立１０の前端との間の寸法）は、例えば１５０ｍｍ以上である。この場合、猫は、ペット通路１３を自由に、容易に移動できる。したがって、収納家具Ａ１は、図１に示すように、収納空間Ｓ１，Ｓ１，…，Ｓ7の前方における各棚板１，２，…，４上にペット通路１３，１３，…を設けることで、左右方向に延びる猫の移動経路Ｒ１，Ｒ１，…を確保できる。
【００３７】
収納家具Ａ１では、ペット通路１３が前方に設けられた各収納空間Ｓ１，Ｓ１，…，Ｓ7は、ペット遊具としてのみ使用されるのではなく、収納としても使用される。より具体的には、図１及び図２に示すように、各ペット通路１３は、収納空間Ｓ１，Ｓ１，…，Ｓ7の前方における各棚板１，２，…，５上に、左右方向に延びる一直線上に設けられている。そのため、各収納空間Ｓ１，Ｓ１，…，Ｓ7におけるペット通路１３の後方に位置する空間（以下「後方空間」ともいう）は、猫がペット通路１３を移動するときの障害になり難い。一方、この後方空間を区画する各第１方立１０は、猫がペット通路１３を移動するときの障壁となる。したがって、収納家具Ａ１は、後方空間を収納として使用できる。
【００３８】
なお、収納空間Ｓ１，Ｓ１，…，Ｓ7に収納する収納物（不図示）としは、収納状態で、ペット通路１３にはみ出さない大きさの収納物が好ましい。即ち、収納物は、第１方立１０の奥行き寸法と同じかそれよりも小さい奥行き寸法を有するものが好ましい。この場合、収納物は、猫がペット通路１３を移動するときの障害になり難く、収納家具Ａ１に設けられた全ての収納空間Ｓ１，Ｓ１，…，Ｓ7に収納できる。
【００３９】
また、第１方立１０は、図２に示すように、各棚板１，２，…，５の後端に対しても、少しだけ（例えば４５ｍｍ程度）セットバックして（各棚板１，２，…，５の後端から前進させて）配設されている。そして、棚板１，２，…，５に組み付けられた各第１方立１０の後方には、例えば配線等を通すための切り欠き２０（図４〜図６参照）が設けられている。なお、配線等を通す必要がない場合には、各棚板１，２，…，５の後端に対して第１方立１０を各棚板１，２，…，５の後端に対してセットバックしていなくてもよく、切り欠き２０を設けなくてもよい。
【００４０】
収納家具Ａ１は、図１に示すように、棚板３の上側に区画された収納空間Ｓの数が上段に行くに従って左右両側共に少なくなっていて（３段目は左右両側に各２つの収納空間Ｓ５，Ｓ６が区画され、４段目は左右両側に各１つの収納空間Ｓ７が区画されて）、正面視で左右両側に行くに従って高くなる階段状に設けられている。より具体的には、棚板３及び各棚板４，５が、テレビ収納空間Ｓ８を区画する各２つの第１方立１０，１０を介して接続され、段違いに配設されている。これにより、猫は、階段状に連続する棚板３，４，５に飛び乗ったり、飛び降りたりすることができる。したがって、収納家具Ａ１は、図１に示すように、猫の移動経路Ｒ２を確保できる。また、猫の移動経路Ｒ１及びＲ２を組み合わせて連続させることで、猫の移動距離が長くなり、且つ猫の移動経路が増える。
【００４１】
なお、収納家具Ａ１の全体構成（形状、大きさ、段数、列数、収納空間の大きさ、数等）は、特に限定されず、用いる棚板１，２，…，５と複数の第１方立１０，１０，…とを適宜組み付けることにより、任意の形状にできる。これにより、猫の移動経路Ｒ１及びＲ２も、任意に決定できる。
【００４２】
以上のように構成される収納家具Ａ１は、棚板１，２，…，５と、これら棚板１，２，…，５の奥行き寸法よりも小さい奥行き寸法を有する複数の第１方立１０，１０，…とにより、複数の収納空間Ｓ１，Ｓ１，…，Ｓ7が区画されている。そして、この第１方立１０の前方における各横板１，２，…，４上には、猫が左右方向に移動可能なペット通路１３，１３，…が設けられている。これにより、第１方立１０の前方、及びこの第１方立１０で区画された互いに隣接する収納空間Ｓ１，Ｓ１，…，Ｓ7の前方における空間は、猫の遊具として使用できる。一方、この収納空間Ｓ１，Ｓ１，…，Ｓ7におけるペット通路１３，１３，…の後方の空間は、収納として使用できる。したがって、収納家具Ａ１は、猫が移動可能なペット通路１３を設けることができると共に、ペット通路１３が設けられた収納空間Ｓ１，Ｓ１，…，Ｓ7内に収納として使用可能な空間を十分に確保できる。
【００４３】
収納家具Ａ１は、猫が移動経路Ｒ１を自由に移動できる。これにより、猫の飼い主は、猫の動作を観賞できる。
【００４４】
収納家具Ａ１は、正面視で階段状に設けられているため、猫が階段状に連続する棚板３，４，５に飛び乗ったり、飛び降りたりすることができる（猫が移動経路Ｒ２を自由に移動できる）。これにより、猫の飼い主は、猫の動作をより観賞できる。また、これら棚板３，４，５は、段違いに上下に並んだ段違い棚（収納）としても使用できる。
【００４５】
＜実施形態２＞
図３〜図７は本発明の実施形態２を示す。本実施形態では、収納家具Ａ２の形状が異なっているが、その他の点については、実施形態１と同様の構成である。そこで、以下の説明では、実施形態１の構成要素と同様の構成要素については、同じ符号を付し、重複説明を省略する場合がある。
【００４６】
図３に示すように、本実施形態に係る収納家具Ａ２は、６段で構成されている。より具体的には、２段目の棚板２上には、その左右中間に、４段目の棚板４と共に、テレビ収納空間Ｓ６が区画されている。また、棚板２上には、テレビ収納空間Ｓ６の左右両側に互いに隣接する各３つの第１方立１０，１０，…が配設されている。これら各３つの第１方立１０，１０，…の間には、テレビ収納空間Ｓ６で分断された３段目の棚板３が架け渡されている。これにより、棚板２と各棚板３との間には、テレビ収納空間Ｓ６の左右両側に収納空間Ｓ４，Ｓ５がそれぞれ区画されている。
【００４７】
各棚板３上には、テレビ収納空間Ｓ６の左右両側に２つずつ配設された合計４つの第１方立１０，１０，…の間に、棚板４が架け渡されている。これにより、各棚板３と棚板４との間には、テレビ収納空間Ｓ６の左右両側に、収納空間Ｓ５と左右方向の位置及び長さが同じ収納空間Ｓ７がそれぞれ区画されている。
【００４８】
棚板４上には、４つの第１方立１０，１０，…を介して５段目の棚板５が架け渡されている。同様に、棚板５上には、４つの第１方立１０，１０，…を介して６段目の棚板６が配設されている。これらにより、棚板４と棚板５の間、及び棚板５と棚板６との間には、それぞれ、各収納空間Ｓ７と左右方向の位置及び長さが同じ各収納空間Ｓ８，Ｓ１０と、テレビ収納空間Ｓ６と左右方向の位置及び長さが同じ収納空間Ｓ９，Ｓ１１とが区画されている。
【００４９】
棚板２の下側、具体的には１段目の棚板１と棚板２との間には、６つの第１方立１０，１０，…が配設されている。これにより、棚板１と棚板２との間には、各収納空間Ｓ４と左右方向の位置及び長さが同じ各収納空間Ｓ１と、各収納空間Ｓ５と左右方向の位置及び長さが同じ各収納空間Ｓ２と、テレビ収納空間Ｓ６と左右方向の位置及び長さが同じ収納空間Ｓ３とが区画されている。
【００５０】
以上説明したように、収納家具Ａ２は、棚板１，２，…，６と、複数の第１方立１０，１０，…とにより、テレビ収納空間Ｓ６を含む、複数段且つ複数列に、任意の大きさに設けられた１８個の収納空間Ｓ１，Ｓ１，…，Ｓ１１が区画されている。
【００５１】
収納家具Ａ２では、図３及び図４に示すように、棚板２，３，…，６の所定位置に、猫が上下方向に通り抜け可能な上下開口１４，１４，…が設けられている。これにより、猫は、これら上下開口１４，１４，…を介して、上下棚板１，２，…，６で区画された収納空間Ｓ，Ｓ（図３では、Ｓ３−Ｓ６間、Ｓ５−Ｓ７間、Ｓ７−Ｓ８間、Ｓ８−Ｓ１０間）に出入りできる。即ち、猫は上下方向に連続する収納空間Ｓ，Ｓ，…（図３では、Ｓ３−Ｓ６間、Ｓ５−Ｓ７−Ｓ８−Ｓ１０間）を上下方向に移動できる。したがって、収納家具Ａ２は、図３に示すように、猫の移動経路Ｒ３，Ｒ３，…確保できる。また、猫の移動経路Ｒ１及びＲ３を組み合わせて連続させることで、猫の移動距離が長くなり、且つ猫の移動経路が増える。
【００５２】
図４に示すように、上下開口１４は、各棚板２，３，…，６の奥行き方向中間部に設けられている。この上下開口１４は、丸穴に形成されている。丸穴の直径は、猫が十分に通り抜けでき、且つ棚板１，２，…，６としての強度を保持できる寸法であればよく、例えばφ１５０〜２００（ｍｍ）程度である。
【００５３】
なお、上下開口１４は、丸穴に限定されず、角穴や、図５に示すように、棚板１，２，…，６の前端又は後端から反対側端に向かって正面視で略Ｕ字状に切り欠いた切り欠きでもよい。
【００５４】
また、棚板１，２，…，６の奥行き寸法が十分にあり、又は第１方立１０の奥行き寸法が比較的小さく、ペット通路１３の幅寸法を十分に確保できる場合には、図６に示すように、上下開口１４をペット通路１３の幅内に設けてもよい。これにより、上下開口１４が設けられた収納空間Ｓにおけるペット通路１３の後方に位置する空間を収納として使用できる。
【００５５】
図７に示すように、丸穴に形成された上下開口１４は、その内周面が下側に向かって次第に減少するテーパー状の孔に形成されている。そして、収納家具Ａ２では、この上下開口１４を閉じる蓋部材１７が取り外し可能に設けられている。この蓋部材１７は、上下開口１４の内周面の形状に対応して、外周面が下側に向かって次第に減少するテーパー状に形成されている。これにより、蓋部材１７は、上下開口１４に上側から密嵌合して上下開口１４を面一上に閉じるようになっている。
【００５６】
なお、テーパー状の孔に形成された丸穴は、その下端の直径（最小の直径）が例えばφ１５０〜２００（ｍｍ）程度になるように調整する。
【００５７】
以上のように構成される収納家具Ａ２は、棚板２，３，…，６に上下開口１４，１４，…が設けられている。これにより、猫は、この上下開口１４，１４，…を介して、上下に連続する収納空間Ｓ，Ｓ，…に出入りできるため、この収納空間Ｓ，Ｓ，…を上下方向に移動できる（移動経路Ｒ３を自由に移動できる）。
【００５８】
上下開口１４は、丸穴に形成され、その内周面がテーパー状の孔に形成されている。そして、この上下開口１４は、取り外し可能な蓋部材１７で面一上に閉じることができる。これにより、収納家具Ａ２は、蓋部材１７を用いて、上下開口１４の配置を変更できるため、収納家具Ａ２の施工後であっても、猫が移動可能な移動経路Ｒ３や、猫の出入りを禁止する収納空間Ｓの配置等を簡単に変更できる。
【００５９】
収納家具Ａ２は、猫の移動経路Ｒ１及びＲ３を組み合わせて連続させることで、猫の移動距離が長くなり、且つ猫の移動経路が増える。これにより、猫の飼い主は、猫の動作をより一層観賞できる。
【００６０】
＜実施形態３＞
図８及び図９は本発明の実施形態３を示す。本実施形態では、収納家具Ａ３の形状が異なっているが、その他の点については、実施形態１と同様の構成である。そこで、以下の説明では、実施形態１の構成要素と同様の構成要素については、同じ符号を付し、重複説明を省略する場合がある。
【００６１】
図８に示すように、本実施形態に係る収納家具Ａ３は、６段で構成されている。より具体的には、１段目の棚板１上には、４つの第１方立１０，１０，…を介して２段目の棚板２が架け渡されている。これにより、棚板１と棚板２との間には、３つの収納空間Ｓ１，Ｓ２，Ｓ３が区画されている。
【００６２】
棚板２上には、２つの第１方立１０，１０と共に、２つの第２方立１１，１１が配列されている。これら２つの第１方立１０，１０と２つの第２方立１１，１１との間には、３段目の棚板３が架け渡されている。これにより、棚板２と棚板３との間には、２つの第２方立１１，１１により区画され、収納空間Ｓ１と左右方向の位置及び長さが同じ収納空間Ｓ４と、第１方立１０及び第２方立１１により区画され、収納空間Ｓ２と左右方向の位置及び長さが同じ収納空間Ｓ５と、２つの第１方立１０，１０により区画され、収納空間Ｓ３と左右方向の位置及び長さが同じ収納空間Ｓ６とが区画されている。
【００６３】
棚板３上には、３つの第１方立１０，１０，…を介して４段目の棚板４が架け渡されている。これにより、棚板３と棚板４との間には、収納空間Ｓ４と左右方向の位置及び長さが同じ収納空間Ｓ７と、収納空間Ｓ５と左右方向の位置及び長さが同じ収納空間Ｓ８とが区画されている。
【００６４】
棚板４上には、２つの第１方立１０，１０を介して５段目の棚板５が架け渡されている。これにより、棚板４と棚板５との間には、収納空間Ｓ７と左右方向の位置及び長さが同じ収納空間Ｓ９が区画されている。
【００６５】
棚板５上には、２つの第１方立１０，１０を介して６段目の棚板６が架け渡されている。これにより、棚板４と棚板５との間には、収納空間Ｓ９よりも左右方向の長さが小さい収納空間Ｓ１０が区画されている。
【００６６】
以上説明したように、収納家具Ａ３は、棚板１，２，…，６と、複数の第１方立１０，１０，…及び２つの第２方立１１，１１とにより、複数段且つ複数列に、任意の大きさに設けられた１０個の収納空間Ｓ１，Ｓ２，…，Ｓ１０が区画されている。
【００６７】
収納家具Ａ３では、図８及び図９に示すように、複数の縦板として２つの第２方立（第２縦板）１１，１１をさらに備える。
【００６８】
第２方立１１は、各棚板１，２，…，５の奥行き寸法と略同じ奥行き寸法を有する。即ち、第２方立１１の奥行き寸法は、例えば３００〜５００ｍｍ程度である。これにより、例えば、互いに隣接する収納空間Ｓ，Ｓ（図８では、収納空間Ｓ４，Ｓ５）を第２方立１１で区画することで、これら収納空間Ｓ，Ｓの前方における棚板１，２，…，５上にペット通路１３を設けない構成にすることもできる。第２方立１１の長さ寸法は、同じ段（棚板上）に配列される第１方立１０の長さ寸法と同じである。
【００６９】
また、２つの第２方立１１，１１のうち、収納空間Ｓ４と収納空間Ｓ５との間に配設された第２方立１１（図８では、収納空間Ｓ４の右側に配置された第２方立１１）には、猫が左右方向に通り抜け可能な左右開口１５が設けられている。これにより、猫は、第２方立１１の前方、及びこの第２方立１１により区画されて連続する収納空間Ｓ４の前方における横板２上にペット通路１３が設けられていなくても、この左右開口１５を介して、第２方立１１で区画された収納空間Ｓ４，Ｓ５に出入りできる。したがって、収納家具Ａ３は、猫の移動経路Ｒ４を確保できる。
【００７０】
図９に示すように、左右開口１５は、第２方立１１の略中央に設けられている。この左右開口１５は、上下開口１４と同様の形状に形成すればよい。即ち、左右開口１５は、丸穴に形成されている。また、左右開口１５は、その内周面が一側に向かって次第に減少するテーパー状の孔に形成されていてもよい。この場合、前記した蓋部材１７を用いて、左右開口１５を取り外し可能に閉じることができる。
【００７１】
収納空間Ｓ４の前方には、この収納空間Ｓ４の前側開口を開閉自在に覆う扉部材１６が設けられている。扉部材１６としては、例えば、左右方向にスライド移動可能に吊り下げ支持された引戸や、戸先が上下方向に開閉可能に戸尻が支持された開戸等を使用できる。
【００７２】
また、収納家具Ａ３は、図８に示すように、棚板２の上側に区画された収納空間Ｓの数が上段に行くに従って少なくなっていて、正面視で左側に行くに従って高くなる階段状に設けられている。これにより、収納家具Ａ３は、猫の移動経路Ｒ２を確保できる。また、これら棚板３，４，…，６は、段違い棚としても使用できる。
【００７３】
棚板２及び棚板３には、上下開口１４が設けられている。これにより、猫は、この上下開口１４を介して、収納空間Ｓ，Ｓ（図８では、Ｓ１−Ｓ４間、Ｓ５−Ｓ８間）に出入りできる。したがって、収納家具Ａ３は、猫の移動経路Ｒ３を確保できる。
【００７４】
図８及び図９に示すように、収納家具Ａ３では、ペット通路１３、上下開口１４及び左右開口１５が連続して設けられている。より具体的には、猫の移動経路Ｒ１〜Ｒ４を組み合わせて連続させることにより、猫が移動可能な一続きの移動経路が設けられている。例えば、棚板１から棚板２に連続する移動経路Ｒ１、Ｒ３、Ｒ４及びＲ１（収納空間Ｓ１−Ｓ４−Ｓ５−Ｓ６）という一続きの移動経路や、棚板１から棚板６に連続する移動経路Ｒ１、Ｒ３、Ｒ４、Ｒ３及びＲ２（収納空間Ｓ１−Ｓ４−Ｓ５−Ｓ８−段違い棚）という一続きの移動経路等が挙げられる。
【００７５】
以上のように構成される収納家具Ａ３は、棚板１，２，…，５の奥行き寸法と略同じ奥行き寸法を有する２つの第２方立１１，１１により、２つの収納空間Ｓ４，Ｓ５が区画されている。そして、収納空間Ｓ４と収納空間Ｓ５との間に配設された第２方立１１には、左右開口１５が設けられている。これにより、猫は、この左右開口１５を介して、第２方立１１で区画された収納空間Ｓ４，Ｓ５に出入りできるため、この収納空間Ｓ４，Ｓ５を左右方向に移動できる（移動経路Ｒ４を自由に移動できる）。
【００７６】
収納家具Ａ３は、収納空間Ｓ４の前方に扉部材１６が設けられているため、この収納空間Ｓ４の内部を隠蔽でき、収納家具Ａ３の意匠性を向上できる。また、上下開口１４及び左右開口１５が設けられ、猫が出入り可能な収納空間Ｓ４に扉部材１６を設けることで、この収納空間Ｓ４を猫の寝床として使用できる。
【００７７】
収納家具Ａ３は、猫の移動経路Ｒ１〜Ｒ４を組み合わせて連続させることで、ペット通路１３、上下開口１４及び左右開口１５が連続して猫が移動可能な一続きの移動経路が設けられる。これにより、収納家具Ａ３では、猫の移動距離がさらに長くなり、且つ猫の移動経路がさらに増える。これにより、猫の飼い主は、猫の動作をさらに観賞できる。
【００７８】
＜その他の実施形態＞
前記各実施形態では、第１方立１０の前方における各棚板上にペット通路１３が設けられているが、第１方立１０の後方における棚板上にペット通路１３が設けられていてもよい。例えば、猫の飼い主が、ペット通路１３を移動する猫の様子をより多く観賞したい場合には、第１方立１０の前方における棚板上にペット通路１３を設ければよい。一方、収納空間Ｓに収納される収納物の配置等により、収納家具Ａ１〜Ａ３の意匠性を向上させる場合には、第１方立１０の後方における棚板上にペット通路１３を設ければよい。
【００７９】
また、前記各実施形態では、第１方立１０の前方及び後方における各棚板上にペット通路１３，１３がそれぞれ設けられていてもよい。この場合、各棚板の奥行き寸法は、例えばペット通路１３の幅寸法分だけ大きくなるように調整すればよく、例えば４５０〜６５０ｍｍ程度である。
【００８０】
前記実施形態３では、上下開口１４及び左右開口１５が設けられ、第２方立１１により区画された収納空間Ｓ４の前方に扉部材１６が設けられているが、これに限定されない。例えば、扉部材１６を設ける収納空間Ｓを猫の寝床として使用する場合には、猫がこの収納空間Ｓに出入り可能であればよい。具体的には、収納空間Ｓを区画する第２方立１１に左右開口１５を設けるか、上下棚板のいずれか一方に上下開口１４を設けるか、又は収納空間Ｓを区画する縦板の少なくとも一方に第１方立１０を使用してもよい。一方、扉部材１６を設ける収納空間Ｓを猫の出入りを禁止する空間にする場合には、左右開口１５を有しない第２方立１１，１１と、上下開口１４を有しない上下棚板とにより、この収納空間Ｓを構成すればよい。
【産業上の利用可能性】
【００８１】
本発明は、ペット遊具を備える収納家具に適用できる。
【符号の説明】
【００８２】
Ａ１〜Ａ３      収納家具
Ｒ１〜Ｒ４      移動経路
Ｓ（Ｓ１〜Ｓ１１）      収納空間 
１〜６      棚板（複数の横板） 
１０      第１方立（第１縦板）
１１      第２方立（第２縦板）
１３      ペット通路
１４      上下開口 
１５      左右開口 
１６      扉部材
１７      蓋部材
【図１】
0006836630.tif 000002
【図２】
0006836630.tif 000003
【図３】
0006836630.tif 000004
【図４】
0006836630.tif 000005
【図５】
0006836630.tif 000006
【図６】
0006836630.tif 000007
【図７】
0006836630.tif 000008
【図８】
0006836630.tif 000009
【図９】
0006836630.tif 000010